(57)【要約】【課題】原稿の種類・天地判別・傾き補正の自動判別機能を有する画像読取装置において、読み取り画像の解析結果が間違っている場合、原稿の種類や画像処理の設定を選択し直す作業が簡素である画像読取装置を提供することを目的とする。【解決手段】画像読取装置が読み取った画像を解析することによって、読み取った原稿の種類・原稿の天地・原稿の傾きを判別し、原稿の種類の判別結果に基づいて、プリセットされた画像処理を実行し、画像処理を実行した画像を表示し、原稿の種類・原稿の天地・傾き補正の判別結果に誤りがあれば、スキャン後に、上記判定結果を変更し、上記変更した判定結果に応じて、画像処理を再実行し、画像処理を再実行した画像を表示し、画像処理を再実行した画像を、再スキャンすることなく出力する画像読取装置である。【選択図】図１
2007324648.tif 000002
【特許請求の範囲】
【請求項１】
原稿の画像を読取る画像読取装置と、この画像読取装置が出力する読取画像データを処理する画像処理装置とを備える画像処理システムにおいて、
上記画像読取装置が出力する読取画像データを解析し、読み取った上記原稿の種類・原稿の天地・原稿の傾きのうちの少なくとも１つを判別する判別手段と；
原稿の種類の判別結果に対応して予め設定された画像処理を実行する画像処理実行手段と；
画像処理を実行した画像を表示する第１の表示手段と；
原稿の種類・原稿の天地・傾き補正のうちの少なくとも１つの判別結果を変更する判別結果変更手段と；
上記変更した判別結果に対応して設定された画像処理を再実行する画像処理再実行手段と；
画像処理を再実行した画像を表示する第２の表示手段と；
画像処理を再実行した画像を出力する出力手段と；
を有することを特徴とする画像処理システム。
【請求項２】
請求項１において、
上記画像読取装置の原稿台の全読取エリアを１度だけ読取走査し、この読取走査で得られた画像データに基づいて、原稿の種類・原稿の天地・傾き補正の判別と、ファイル出力とを実行することを特徴とする画像処理システム。
【請求項３】
請求項１において、
上記原稿の種類は、カラー写真白黒、写真、カラーテキスト、白黒テキスト、カラー雑誌、白黒雑誌のうちの少なくとも１つの種類であることを特徴とする画像処理システム。
【請求項４】
請求項１において、
上記画像処理は、原稿の種類に応じて予め設定されている画像処理と、原稿の種類に関係なく、スキャン後に設定変更できる画像処理とであることを特徴とする画像処理システム。
【請求項５】
請求項４において、
上記原稿の種類に応じて実行することがプリセットされている画像処理は、アンシャープマスク、自動色調整、モアレ低減、ごみ傷低減処理のうちの少なくとも１つの処理であり、
上記原稿の種類に関係なく、スキャン後に設定変更する画像処理は、褪色補正、粒状感低減、逆光補正処理のうちの少なくとも１つの処理であることを特徴とする画像処理システム。
【請求項６】
原稿の画像を読取る画像読取装置と、この画像読取装置が出力する読取画像データを処理する画像処理装置とを備える画像処理システムの制御方法において、
上記画像読取装置が出力する読取画像データを解析し、読み取った上記原稿の種類・原稿の天地・原稿の傾きのうちの少なくとも１つを判別する判別工程と；
原稿の種類の判別結果に対応して予め設定された画像処理を実行する画像処理実行工程と；
画像処理を実行した画像を表示する第１の表示工程と；
原稿の種類・原稿の天地・傾き補正のうちの少なくとも１つの判別結果を変更する判別結果変更工程と；
上記変更した判別結果に対応して設定された画像処理を再実行する画像処理再実行工程と；
画像処理を再実行した画像を表示する第２の表示工程と；
画像処理を再実行した画像を出力する出力工程と；
を有することを特徴とする画像処理システムの制御方法。
【発明の詳細な説明】
【技術分野】
【０００１】
本発明はスキャナ、複写機等の画像読取装置に関するものである。
【背景技術】
【０００２】
従来、この種の画像読取装置には、読み取った画像を解析し、セットした原稿の種類を自動で判別し、この判別した種類に応じた画像処理を実行する機能が設けられている。
【０００３】
たとえば、初めに、本スキャンよりも低解像度であるプレスキャンを行い、プレスキャン画像を解析し、本スキャン時のパラメータを決定する。そして、本スキャン時のパラメータ使用した画像を、モニタに表示する。表示された画像を確認し、問題がなければ、決定したパラメータによって本スキャンを行う（たとえば、特許文献１参照。）。
【特許文献１】特開２００４−００７４２５号公報
【発明の開示】
【発明が解決しようとする課題】
【０００４】
しかし、原稿によっては、セットした原稿の種類判別の結果が正しくない場合がある。この場合、ユーザは、原稿を自動判別する自動判別モードから、原稿をマニュアル設定するマニュアル設定モードに移動し、原稿の種類や画像処理の設定を、自分で選択し直し、再スキャンする必要がある。
【０００５】
つまり、上記従来例では、セットした原稿の種類判別の結果が正しくない場合、原稿の種類や画像処理の設定を自分で選択し直すために、原稿をマニュアル設定モードに移動する作業が必要であり、このモード移動作業が煩雑であるという問題がある。
【０００６】
また、自動判別の結果が正しい場合でも、プレスキャンで確認した画像を得るために、高解像で本スキャンを実行する必要がある。
【０００７】
つまり、上記従来例では、原稿の自動判別結果が正しい場合、プレスキャンした後に、高解像度で本スキャンする必要があり、この動作が煩雑であるという問題がある。
【０００８】
本発明は、原稿の種類・天地判別・傾き補正の自動判別機能を有する画像読取装置において、読み取り画像の解析結果が間違っている場合、原稿の種類や画像処理の設定を選択し直す作業が簡素である画像読取装置を提供することを目的とする。
【０００９】
本発明は、原稿の種類・天地判別・傾き補正の自動判別機能を有する画像読取装置において、読み取り画像の解析結果が間違っている場合、再スキャンすることなく、修正した画像を出力することができる画像読取装置を提供することを目的とする。
【課題を解決するための手段】
【００１０】
本発明は、画像読取装置が読み取った画像を解析することによって、読み取った原稿の種類・原稿の天地・原稿の傾きを判別し、原稿の種類の判別結果に基づいて、プリセットされた画像処理を実行し、画像処理を実行した画像を表示し、原稿の種類・原稿の天地・傾き補正の判別結果に誤りがあれば、スキャン後に、上記判定結果を変更し、上記変更した判定結果に応じて、画像処理を再実行し、画像処理を再実行した画像を表示し、画像処理を再実行した画像を、再スキャンすることなく出力する画像読取装置である。
【発明の効果】
【００１１】
本発明によれば、原稿の種類・天地判別・傾き補正の自動判別機能を有する画像読取装置において、読み取り画像の解析結果が間違っている場合、原稿の種類や画像処理の設定を選択し直す作業が簡素であるという効果を奏する。
【００１２】
また、本発明によれば、原稿の種類・天地判別・傾き補正の自動判別機能を有する画像読取装置において、読み取り画像の解析結果が間違っている場合、再スキャンすることなく、修正した画像を出力することができるという効果を奏する。
【発明を実施するための最良の形態】
【００１３】
発明を実施するための最良の形態は、次の実施例である。
【実施例１】
【００１４】
図１は、画像読取装置１００と、外部機器の構成を示すブロック図である。
【００１５】
画像読取装置１００は、結像レンズ２と、固体撮像素子３と、アナログゲイン調整器４と、Ａ／Ｄ変換器５と、画像処理回路６と、ラインバッファ７と、インタフェース回路８と、スキャナコントローラ９と、内部光源ＯＮ／ＯＦＦ制御回路１０とを有する。また、画像読取装置１００は、内部光源１１と、モータドライバ回路１２と、パルスモータ１３と、オフセットＲＡＭ１４と、ガンマＲＡＭ１５と、ＬＣＤ１８と、ＶＲＡＭ１９とを有する。
【００１６】
画像読取装置１００において、内部光源１１が照射し、原稿１で反射した光は、結像レンズ２を通して、固体撮像素子３の一例であるＣＣＤ上に結像する。撮像素子３は、ＣＣＤ以外に、ＣＯＭＳ等を使用するようにしてもよい。
【００１７】
アナログゲイン調整器４は、ＣＣＤラインセンサ３から出力されたアナログ画像信号を可変増幅する。Ａ／Ｄ変換器５は、アナログゲイン調整器４から出力されたアナログ画像信号をディジタル画像信号に変換する。
【００１８】
画像処理回路６は、ディジタル信号化された画像信号について、オフセット補正、シェーディング補正、デジタルゲイン調整、カラーバランス調整、マスキング、主・副走査方向の解像度変換等の画像処理を行う。ラインバッファ７は、画像データを一時的に記憶し、汎用のＲＡＭで実現している。
【００１９】
インタフェース回路８は、外部機器Ｃと通信するためのものであり、ＳＣＳＩ、パラレル、ＵＳＢ、ＩＥＥＥ１３９４等のインタフェースが使用される。スキャナコントローラ９は、外部機器Ｃからの命令に従って、スキャナを制御するスキャナコントローラであり、モータドライバ回路１２、内部光源ＯＮ／ＯＦＦ制御回路１０、画像処理回路６等を制御する。
【００２０】
内部光源ＯＮ／ＯＦＦ制御回路１０は、内部光源１１のＯＮ／ＯＦＦを制御するための制御回路である。モータドライバ回路１２は、パルスモータ１３を駆動し、画像読取装置１００のシステム制御手段であるスキャナコントローラ９からの信号によって、パルスモータ１３の励磁切替え信号を出力する。
【００２１】
オフセットＲＡＭ１４は、画像処理を行う際のワーキングエリアとして用いられるＲＡＭである。ＣＣＤラインセンサ３がＲＧＢ用ラインセンサをそれぞれ所定のオフセットを持って平行に配置されているので、そのＲＧＢライン間オフセットの補正用として、オフセットＲＡＭ１４が用いられる。また、オフセットＲＡＭ１４は、シェーディング補正等の各種データの一時記憶も行い、ここでは、汎用のＲＡＭを使用している。
【００２２】
ガンマＲＡＭ１５は、ガンマカーブを記憶し、ガンマ補正を行うためのガンマＲＡＭである。ＬＣＤ１８は、画像読取装置１００の操作部に表示される。ＬＣＤ１８は、画像処理を実行した画像を表示する第１の表示手段の例であり、画像処理を再実行した画像を表示する第２の表示手段の例である。
【００２３】
ＶＲＡＭ１９は、ＬＣＤに表示するデータを書き込む。ＬＣＤ１８に表示する情報と、ＶＲＡＭ１９とを、スキャナコントローラ９が制御する。
【００２４】
外部機器Ｃは、ホストコンピュータであり、画像読取装置１００とモニタＭとに接続されている。
【００２５】
図２は、画像読取装置１００の断面を示す図である。
【００２６】
画像読取装置１００は、枠体２１と、センサユニット２２と、基準軸２３と、動作ベルト２４と、ステッピングモータ２５と、ギア群２６と、基板２７と、ＵＳＢの接続コネクタ２８と、フラットケーブル３０と、ＡＣアダプタの接続用コネクタ３１とを有する。
【００２７】
基準軸２３は、センサユニットを副走査方向へ移動する基準である。動作ベルト２４は、センサユニット２２に接続され基準軸に沿い動作させるための動作ベルトである。ギア群２６は、モータからの駆動をベルトに伝えるためのギア群である。フラットケーブル３０は、センサユニット２２と基板２７とを接続するためのフラットケーブルである。接続用コネクタ３１は、外部電源であるＡＣアダプタの接続用コネクタである。
【００２８】
外部機器からスキャン命令を受けた画像読取装置１００のスキャナコントローラ９は、モータ２５を駆動し、ギア群２６を介してベルトを駆動する。これによって、センサユニット２２が、基準軸２３に沿って副操作方向へ移動し、画像を読み取る。
【００２９】
図３−１は、画像読取装置１００の外観を示す図である。
【００３０】
画像読取装置１００は、原稿台カバー４１と、保護シート４２と、フィルム読み取り光源部４３と、原稿読み取りユニット４４と、原稿台ガラス４５と、スキャンボタン４６と、原稿位置合わせマーク４７とを有する。また、画像読取装置１００は、キャリッジロック４８と、キャリブレーションエリア４９と、フィルムガイドＦＧとを有する。
【００３１】
原稿台カバー４１は、セットした原稿１を押さえる。保護シート４２は、フィルム読み取り光源部４３を保護する。フィルム読み取り光源部４３は、フィルムに光をあてる。原稿読み取りユニット４４は、光をあてて原稿１を読み取る。原稿台ガラス４５は、スキャンする原稿１を置くガラスである。スキャンボタン４６は、スキャナ本体についているスキャンボタンである。原稿位置合わせマーク４７は、原稿１をセットするときに合わせるマークである。
【００３２】
原稿１が反射原稿である場合、原稿台４５の上に原稿１を置き、原稿読取ユニット４４によって原稿１を読み取る。原稿１が透過原稿（フィルム）である場合、フィルムガイドＦＧにフィルムをセットし、フィルム読み取り光源部４３から光を照射し、原稿読取ユニット４４によって原稿１を読み取る。
【００３３】
図３−２は、実施例１で使用する自動原稿給紙装置（ＡＤＦ）５０を示す図である。
【００３４】
原稿台カバー４１を外し、代わりに画像読取装置１００にセットすることができる。
【００３５】
自動原稿給紙装置（ＡＤＦ）５０は、フィーダカバー５２と、原稿ガイド５３と、原稿トレイ５４と、原稿排紙口５５と紙センサ５６とを有する。
【００３６】
自動原稿給紙装置（ＡＤＦ）５０は、原稿トレイにセットした原稿１を自動的に読み込むことができる。フィーダカバー５２は、原稿１の紙詰まりを処理するときに開ける。原稿ガイド５３は、原稿１の幅に合わせてこのガイドを調整する。
【００３７】
原稿トレイ５４は、原稿１をセットするときに開け、原稿１を１枚ずつ自動的に送ることができる。原稿排紙口５５は、原稿トレイから読み込んだ原稿１を排紙する。紙センサ５６は、原稿トレイに原稿１がセットされていることを認知するためのセンサである。
【００３８】
図４は、原稿の種類と画像処理との関係を示す図である。
【００３９】
本実施例では、判別できる原稿の種類６１は、「カラー写真」、「白黒写真」、「カラー雑誌」、「白黒雑誌」、「カラーテキスト」、「白黒テキスト」の６種類であるとする。そして、判別された原稿の種類に応じて、カラーモード６２、解像度６３、天地補正６４、傾き補正６５、各種の画像処理（Ａ）６６が、プリセットされ、それらが実行される。また、画像処理（Ｂ）６７は、原稿１の判別結果に関係なく、スキャン後に、任意に実行することができる。
【００４０】
図５は、画像読取装置１００を制御するプログラムの構造を示す図である。
【００４１】
画像読取装置１００を制御するプログラムは、ＴＷＡＩＮ規格に対応したアプリケーション７１と、ＴＷＡＩＮドライバ７２と、デバイスドライバ７３と、ポートドライバ７４と、オペレーティングシステム（ＯＳ）７５とを有する。
【００４２】
ＴＷＡＩＮ規格に対応したアプリケーション７１は、スキャンボタン４６の機能の設定や各種フォーマットで、ファイルを保存するファイル作成ソフトである。ＴＷＡＩＮドライバ７２経由で、画像読取装置１００から画像を読み取り、ユーザの指示によって画像を処理し、保存する機能を有する。
【００４３】
ＴＷＡＩＮドライバ７２は、ＴＷＡＩＮ規格に従い、画像読取装置１００からの画像を、ＴＷＡＩＮ対応アプリケーションに渡し、また、独自のＧＵＩ（グラフィック・ユーザ・インタフェース）を表示する。ＧＵＩは、プレビュー、プレビュー画像に対するクロップエリアの指定、解像度の設定、読み取りモード（２値、８ビット多値、２４ビット多値等）の設定、ガンマ補正等の色調整の設定等を行う機能を有する。
【００４４】
デバイスドライバ７３は、画像読取装置１００の各モジュールの制御レジスタに、アクセスする。そして、シェーディングの制御、解像度やクロップ範囲に応じたモータスピードの設定、ＴＷＡＩＮドライバから受け取ったガンマ補正データの画像読取装置１００への送信処理、画像読み取りのためのフロー制御を行う。
【００４５】
ポートドライバ７４は、パラレル・インタフェース、ＳＣＳＩインタフェース、ＵＳＢインタフェース、ＩＥＥＥ１３９４インタフェース等のインタフェースに応じて画像読取装置１００との通信制御を行う。
【００４６】
オペレーティングシステム（ＯＳ）７５は、Ｗｉｎｄｏｗｓ（登録商標）等、ホストコンピュータのオペレーティングシステムである。ボタンモニタ７６は、画像読取装置１００の操作部に設けられているボタンが押されたことを検知するモジュールであり、ある一定間隔のタイミングで、ボタンが押されたかどうかを常に検知している。
【００４７】
図６−１は、画像読取装置１００が読み込みを行う際に表示されるＴＷＡＩＮドライバ７２のユーザインタフェース（以下、「ＵＩ」という）であり、原稿の種類を自動的に判別してスキャンを行う全自動モードの画面を示す図である。
【００４８】
ラジオボタン８１は、取込装置が、原稿台、自動原稿給紙装置（ＡＤＦ）のどちらを判別したかを表示する。原稿の種類８２は、スキャン画像を解析して求めた原稿の種類を表示するプルダウンリストである。原稿１が複数枚存在する場合、その原稿と判別結果とがタブで表示される。画像処理のリスト８３は、原稿の種類に応じて使用される画像処理のリストである。
【００４９】
プログレスバー８４は、進捗状況を示す。エリア８５は、スキャンした画像を縮小して表示する。スキャンボタン８６は、これを押すと、ラジオボタン８１、原稿の種類８２、画像処理のリスト８３の処理を順番に開始する。キャンセルボタン８７は、スキャンや画像処理を、途中でキャンセルするためのボタンである。
【００５０】
図６−２は、３枚の原稿全てのスキャンと画像処理とが終わった後に、２番目の画像を選択した時のＵＩの状態を示す図である。
【００５１】
スキャンされた画像の縮小画像（以下、「サムネイル」という）が、サムネイル表示欄８８に表示される。原稿の種類８２、画像処理のリスト８３、サムネイル表示欄８８を確認し、スキャン画像に問題がなければ、転送ボタン８９を押す。このボタン８９を押すと、ＴＷＡＩＮ対応アプリケーションに画像が転送される。
【００５２】
ただし、サムネイル表示欄８８の下部のチェックボックスのチェックを外すと、そのサムネイルは転送されない。サムネイル表示欄８８に表示されているスキャンされたサムネイルを詳しく確認する場合、サムネイル表示欄８８をクリックした後に、ズームボタン９０を押すか、サムネイル表示欄８８をダブルクリックすることによって、拡大画像が表示される。
【００５３】
図６−３は、画像２のサムネイル表示欄８８を拡大表示したＵＩを示す図である。
【００５４】
ここでは、原稿判別した結果である原稿の種類９１と、スキャンされた画像に実行する画像処理９２とが表示される。原稿１の天地判別、傾き補正の結果のずれ量等、自動判別の結果が間違っている場合、または追加で画像処理を実行したい場合、変更ボタン９３を押す。
【００５５】
図６−４は、変更ボタン９３を押したときに表示されるＵＩを示す図である。
【００５６】
ここでは、原稿の種類をリストボックス９４の中から選んで変更することができる。選択した原稿の種類によって、実行される画像処理９２も自動的に更新される。また、画像処理の設定を、個別に変更する場合、画像処理のチェックボックス９２を使用して、設定を変更することができる。
【００５７】
変更された画像処理の結果は、変更前のサムネイル画像と並んでサムネイル表示欄９６に表示される変更後のサムネイルに反映される。また、原稿１の天地判別に間違いがあった場合、左右９０°回転ボタン９８によって、画像を回転することができる。また、傾き補正の結果がずれていれば、回転ボタン９７をドラッグすることによって、任意の角度で画像を回転することができる。
【００５８】
図７−１、図７−２は、画像読取装置１００において、原稿の種類、天地判別、傾き補正を自動判別する動作を示すフローチャートである。
【００５９】
まず、Ｓ１で、全自動モードにおいて、スキャンボタン８６を押し、原稿１のスキャンを開始する。Ｓ２で、原稿１が原稿台に置かれているか、ＡＤＦにセットされているかをチェックする。ＡＤＦに原稿１がセットされていることを確認するための紙検知センサ５６が設けられている。
【００６０】
紙検知センサ５６がＯＮであれば、ＡＤＦに紙がセットされ、紙検知センサ５６がＯＦＦであれば、原稿台に原稿１が置かれていると判定する。原稿台に原稿１がセットされていれば、Ｓ３で、原稿台全面をカラー６００ｄｐｉでスキャンする。次に、Ｓ４で、スキャンした画像を解析し、原稿の領域を切り出す。
【００６１】
原稿１が１枚であれば、原稿１を囲む矩形エリアを作成し、原稿１が複数枚セットされていれば、原稿１のそれぞれに、矩形エリアを作成する。Ｓ５で、それぞれの矩形エリアの画像を解析し、網点原稿であるかどうかをチェックする。
【００６２】
具体的には、網点原稿に特有な周波数成分が、原稿１の画像に存在すれば、網点原稿であると判別する。網点原稿であると判別されれば、原稿の種類が雑誌であると判定する。
【００６３】
Ｓ６で、各原稿１について、傾き補正処理を行う。Ｓ２で、原稿１がＡＤＦにセットされていると判別されれば、Ｓ８で、ＡＤＦ上にセットされている全ての原稿１を、カラー６００ｄｐｉで、スキャンする。
【００６４】
Ｓ９で、各ページの画像を解析し、網点原稿であるかどうかをチェックする。そして、Ｓ１０で、各ページに対して傾き補正処理を行う。Ｓ７で、傾き補正後における各画像を、互いに別ファイルとして保存する。原稿１を判別した後に、結果を変更する場合、ここで保存した画像を使用する。
【００６５】
次に、Ｓ１１で、原稿１が、写真であるかテキストであるかを判別する。これを判別する場合、各画像の画素毎の輝度ヒストグラムを作成し、この分布の特徴に基づいて、判別する。
【００６６】
原稿１が、カラーであるか白黒であるかを判別する。これを判別する場合、各画像データのＲＧＢの値を比較して判別する。Ｓ５、Ｓ９、Ｓ１１、Ｓ１２の各判定結果に基づいて、Ｓ１３で、原稿１の判別結果を表示する。
【００６７】
次に、Ｓ１４で、各画像が網点原稿であると判別した場合、原稿１は雑誌であると考えられるので、Ｓ１５で、雑誌用の画像処理（モアレ低減）を実行する。Ｓ１６で、写真原稿であるかテキストであるかを判別し、写真であると判別されれば、Ｓ１７で、図４に示すように、写真用の画像処理を実行する。
【００６８】
テキストであると判別された場合、Ｓ１８で、天地判別を行う。この天地判別をする場合、原稿１をＯＣＲ処理し、文字認識の結果に基づいて、天地の方向を判断する。Ｓ１９で、図４に示すテキスト用の画像処理を実行する。
【００６９】
Ｓ２０で、原稿１のカラーモードを判別し、原稿１がカラーであると判別されれば、Ｓ２１で、カラー画像のまま出力ファイルを作成する。
【００７０】
また、Ｓ２０で、原稿１が白黒であると判別されれば、Ｓ２２で、グレー画像に変換し、出力ファイルを作成する。また、同様に解像度の変換を行う。最後に、Ｓ２３で、出力ファイルのサムネイル画像を作成し、表示する。
【００７１】
図８は、図６−３に示す変更ボタン９３を押したときに図６−４で表示されるＵＩにおいて、ユーザにより原稿の種類を変更する動作と、画像処理を実行する動作とを示すフローチャートである。
【００７２】
Ｓ３１で、図６−３に示す原稿の種類９１の判別結果が正しいかどうかを判定する。判定結果が違っていれば、変更ボタン９３を押し、図６−４に示すＵＩを表示する。Ｓ３２で、原稿の種類９４をプルダウンリストから選択し直す。Ｓ３３では、Ｓ７で保存したオリジナルの画像について、変更した原稿の種類に応じた画像処理を実行する。
【００７３】
Ｓ３４で、原稿の種類を変更した画像のサムネイル９６を表示する。Ｓ３５で、天地判別の結果が間違っていると判断すれば、左右９０°回転ボタン９８で、画像を９０°ずつ回転することができる。また、Ｓ３７で、傾き補正の結果が正しくないと判断されれば、回転ボタン９７をドラッグすることによって、左右の角度を任意に調整することができる。
【００７４】
Ｓ３９で、原稿の種類に応じて実行される画像処理（Ａ）６６の設定を変更する必要があると判断されれば、または原稿の種類によらず実行可能な画像処理（Ｂ）６７の設定を変更する必要があると判断されれば、Ｓ４０の処理を実行する。つまり、Ｓ４０で、各種画像処理のチェックボックス９２のＯＮ／ＯＦＦを切り替える。そしてＳ４１で、画像の処理の結果を反映させた画像のサムネイルをサムネイル表示欄９６に表示し、この効果(設定を変更した効果)を確認する。
【００７５】
変更を終了する場合、Ｓ４２で、ＯＫボタン９９を押し、図６−４に示すＵＩを閉じ、図６−２に示すＵＩに戻る。最後に、Ｓ４３で、転送ボタン８９を押し、アプリケーションに画像を転送する。
【００７６】
なお、上記実施例において、上記原稿の種類に応じて実行することがプリセットされている画像処理は、アンシャープマスク、自動色調整、モアレ低減、ごみ傷低減処理のうちの少なくとも１つの処理である。
【００７７】
また、上記原稿の種類に関係なく、スキャン後に設定変更できる画像処理は、褪色補正、粒状感低減、逆光補正処理のうちの少なくとも１つの処理である。
【００７８】
上記構成を採用することによって、プレスキャン、本スキャン、修正スキャンと、複数回のスキャンを行うことなく、Ｓ２の判断に応じた１度のスキャンで読み取った画像データから、原稿の判別、画像処理、設定変更後の画像処理を行うことができる。
【図面の簡単な説明】
【００７９】
【図１】画像読取装置１００と、外部機器の構成を示すブロック図である。
【図２】画像読取装置１００の断面を示す図である。
【図３−１】画像読取装置１００の外観を示す図である。
【図３−２】実施例１における自動原稿給紙装置（ＡＤＦ）５０を示す図である。
【図４】原稿の種類と画像処理との関係を示す図である。
【図５】画像読取装置１００を制御するプログラムの構造を示す図である。
【図６−１】画像読取装置１００が読み込みを行う際に表示されるＴＷＡＩＮドライバ７２のユーザインタフェース（ＵＩ）であり、原稿の種類を自動的に判別してスキャンを行う全自動モードの画面を示す図である。
【図６−２】全てのスキャンと画像処理とが終わった後におけるＵＩの状態を示す図である。
【図６−３】サムネイル表示欄８８を拡大表示したＵＩを示す図である。
【図６−４】変更ボタン９３を押したときに表示されるＵＩを示す図である。
【図７−１】画像読取装置１００において、原稿の種類、天地判別、傾き補正を自動判別する動作を示すフローチャートである。
【図７−２】画像読取装置１００において、原稿の種類、天地判別、傾き補正を自動判別する動作を示すフローチャートである。
【図８】図６−４に示す変更ボタン９３を押したときに表示されるＵＩにおいて、原稿の種類を変更する動作と画像処理を実行する動作とを示すフローチャートである。
【符号の説明】
【００８０】
１００…画像読取装置、
１…原稿、
６…画像処理回路、
９…スキャナコントローラ、
Ｃ…外部機器、
Ｍ…モニタ、
８２…原稿の種類、
８３…画像処理のリスト、
８８…サムネイル表示欄、
９３…変更ボタン。
【図１】
2007324648.tif 000003
【図２】
2007324648.tif 000004
【図３−１】
2007324648.tif 000005
【図３−２】
2007324648.tif 000006
【図４】
2007324648.tif 000007
【図５】
2007324648.tif 000008
【図６−１】
2007324648.tif 000009
【図６−２】
2007324648.tif 000010
【図６−３】
2007324648.tif 000011
【図６−４】
2007324648.tif 000012
【図７−１】
2007324648.tif 000013
【図７−２】
2007324648.tif 000014
【図８】
2007324648.tif 000015